Podtech/llm-jp-corpus-v4-ja_patent huggingface dataset:
(57)【要約】      （修正有）【課題】水の電気分解により発生した水素・酸素の全ブラウンガスを抵抗なく人体に吸収し、且つ消費者庁のガイドラインに沿う吸入パイプを提供する。【解決手段】吸引口１を口にはさみ通常の吸排気を行う。吸引と同時に水素・酸素発生装置で生成された水素・酸素ガスがチューブ６、オリフィス５を経由してパイプベース２に入り込む。同時に空気孔３から空気が入り込み、水素・酸素ガスと空気の混合気体が吸引口１から体内に入り込む。排気の際はオリフィス５によってチューブ６、パイプベース２に流れこむ水素・酸素ガス量が制限される。又、パイプベース２に流れ込む微量な水素・酸素ガスは空気孔３より外に逃がされる。【選択図】図１
2016073583.tif 000002
【特許請求の範囲】
【請求項１】
ａ．水素・酸素ガスを吸引する際人体に抵抗の少ない方法としてタバコと同じように、▲１▼口より吸引する。▲２▼吸引器具はパイプ形状とする。
ｂ．水素発生量に対し、５０倍以上の空気をパイプ側面の孔より吸気の力で自動的に送り込み、パイプ先端部でブラウンガスと自動混合させ、消費者庁のガイドラインである水素２％以下の基準を達成させる構造。
ｃ．吸気時…吸気力で発生したブラウンガスを余すところなく体内に取り入れる。
排気時…パイプの内にオリフィス（小孔）を組み込み、発生したブラウンガスが無駄            に逃げることを防ぐ構造。
【発明の詳細な説明】
【技術分野】
【０００１】本発明は水素・酸素ガス（ブラウンガスと略称）発生器により作られたブラウンガスを人体が可能な限り多く吸収する方法として、使い易く且つ消費者庁のガイドラインに沿ったパイプの装置に関する。
【技術背景】
【０００２】水素・酸素ガスの機能を体内に大量に取込むためには、水素・酸素ガスを直接吸引する方法が最高である。
【０００３】水素・酸素ガスをそのまま吸引する方法として、特許文献には、電気分解により発生したガスを吸入マスクを用いて、口あるいは鼻から吸引する方法の提案がある。
【０００４】しかし、前記特許文献の場合は、密閉タイプのマスク使用が前提なので鬱陶しさが避けられず、更にマスクのなかにブラウンガスが入った後、空気と混合するので必ずしも消費者庁のガイドラインに沿ったものとは言い難い。
【０００５】マスクなしに簡単なパイプで口より吸引し、口にガスが達する段階で水素と空気との混合比が消費者庁が示す２％以下に抑える必要がある。
【先行技術文献】
【特許文献】
【０００６】
【特許文献】特開２０１４−１０２６８１号公報特許文献には無いが、水素・酸素ガス等を直接鼻より吸引する方法として病院等でカニューラが使用されているが、これは医師法のもとでないと使えない。
【発明の概要】
【発明が解決しようとする課題】
【０００７】本発明の目的は水素・酸素ガス発生装置によって発生させたガスを人体にかかる負担を最小限に抑え、消費者庁のガイドラインに近い形で吸引でき、且つ吸気のときには吸気の力で可能な限り多くのガスを取りいれ、排気の際はオリフィスによって出来る限りガスが逃げない構造とし、発生したガスを無駄なく吸入できるパイプを提供することである。
【問題を解決するための手段】
【０００８】上記目標を達成するため請求項１において提案する本願発明は、一般に愛用されている使い勝手の良いパイプの形状をベースに、パイプの根元にブラウンガスの通過量を調整するオリフィスを組み込み、吸引時には吸気の力で可能な限り多くのブラウンガスを、排気時にはオリフィスによってブラウンガスの無駄な排出を制限する。
排気時オリフィスを経由してパイプ内に入りこんだ微量なブラウンガスは、パイプの側面にあけられた小孔より逃がされる。この孔は生成器本体中の過圧を防ぐ逃し弁的な役割をするとともに、吸引時には吸気の力によってこの孔より空気をパイプ内に取り込む役割を果たす。
このようにブラウンガスの無駄を極力少なくし、空気との混合により水素２％以下の基準を保たせるパイプであることを特徴とする。
【発明の効果】
【０００９】請求項１に記載の発明によると、一般に使用されているパイプの形状をベースとしているので形も小さく、人体に与える負担が少なく、見た目に違和感はない。
【００１０】パイプの根元にガスの自由な通過を防げるオリフィスが設けられているため、ブラウンガスを無駄に失うことがない。結果的には発生器が作ったブラウンガスを約２倍有効に使うことができる。
【００１１】消費者庁の水素に対するガイドラインとしては、鼻や口に入れる前に水素濃度を２％以下にすることとしている。ブラウンガスの発生量は５Ｌ／時（２．８ｃｃ／ｌ呼吸）▲注▼なので、２％以下を保つための空気量は１４０ｃｃ／ｌ呼吸にすれば良い。人体の一呼吸で取り入れる空気量は４００ｃｃ以上あり、本装置はパイプの側面に空いた孔より、十分過ぎる空気を取入れられるので、完全にこの条件を満たしている。
2016073583.tif 000003
【図面の簡単な説明】
【００１２】
【図１】本発明による水素・酸素ガス吸引パイプの選択図
【図２】Ａ−Ａ´線断図面
【図３】水素・酸素ガスを吸引している状態の説明図
【発明を実施するための形態】
【００１３】図１〜図３に基づいて本発明に係るブラウンガス吸引方法とそのパイプの実例を詳細に説明する。
【００１４】吸引口１を口にはさみ通常の吸排気を行う。吸引と同時に水素・酸素発生装置で生成された水素・酸素ガスが６、５を経由して２に入り込む。同時に３から空気が入り込み、水素・酸素ガスと空気の混合気体が１から体内に入り込む。排気の際は５のオリフィスによって６、２に流れこむ水素・酸素ガス量が制限される。又、２に流れ込む微量な水素・酸素ガスは３より外に逃がされる。これによって安全にかつ水素・酸素ガスの無駄な消費を減ずることができる。
【符号の説明】
【００１５】１．水素・酸素ガス吸引口
２．パイプベース
３．パイプベース空気孔
４．水素・酸素ガスチューブ受け口
５．オリフィス
６．水素・酸素ガスチューブ
【図１】
2016073583.tif 000004
【図２】
2016073583.tif 000005
【図３】
2016073583.tif 000006
(57)【要約】【課題】  ラップブレスレット製作をする際、長い革ひもにビーズなどの素材を結わえつけていく作業を容易にする製作板を提供する。【解決手段】板状（１）のものに、ブレスレットの編みはじめの部分（２）と、革ひもの先端（３）、（４）を固定できるしくみを設けたことを特徴とする。【選択図】図１
2016073585.tif 000002
【特許請求の範囲】
【請求項１】
革ひもを三か所固定し、ラップブレスレットの製作を容易にする装置。
【発明の詳細な説明】
【技術分野】
【０００１】この発明は、ラップブレスレットの製作を容易にするものである。
【背景技術】
【０００２】ラップブレスレットは人気が高く、手芸店で手作り用の素材が販売されている。
【先行技術文献】
【０００３】
【発明の概要】
【発明が解決しようとする課題】
【０００４】ラップブレスレットは手作りキットとして販売されているものもあり、作り方のレシピなどもセットになっているが、長い革ひもにビーズなどの素材を結わえつけていくのは困難がともなう。
本発明は、以上のような欠点をなくすためになされたものである。
【課題を解決するための手段】
【０００５】板状（１）のものに、ブレスレットの編みはじめの部分（２）と、革ひもの先端（３）、（４）を固定できるしくみを設けた。
本発明は、以上の構造よりなるラップブレスレット製作板である。
【発明の効果】
【０００６】編みはじめの部分と、革ひもの先端の３か所を固定できるので、初心者でもビーズなどの素材を容易に編み進めることができる。
【図面の簡単な説明】
【０００７】
【図１】  本発明の平面図である。
【図２】  本発明の使用図である。
【発明を実施するための形態】
【０００８】以下、本発明を実施するための形態について説明する。
板状のもの（１）に、ブレスレットの編みはじめの部分をひっかけて固定できる箇所（２）を設ける。
斜めに入れたスリット二か所（３）、（４）から本体の一部を折り上げ、その間に革ひもの先端を固定することができる。
本発明は、以上のような構造である。
これを使用するときは、編みはじめの部分を固定したうえで、革ひもの先端をスリット部分にひっかけて仮押さえしながら、編み進めていく。
【符号の説明】
【０００９】１  ラップブレスレット製作板本体
２  革ひもの編みはじめ部分をひっかけておくしくみ
３、４  革ひもの先端を仮おさえするためのスリット
【図１】
2016073585.tif 000003
【図２】
2016073585.tif 000004
(57)【要約】      （修正有）【課題】男性が、洋式トイレの便座に座って、用を足す時、便器と便座の隙間から尿が通り抜け、飛散して衣類や床を汚す事を防止する尿飛散防止ベルトを提供する。【解決手段】尿飛散ベルト１は、男性が洋式トイレに座って用を足すとき、座った状態で便座２と自分の大腿部の間に尿飛散防止ベルト１を差し込み、ペニスを指で、尿飛散防止ベルト１の下側に移動する事で、尿を飛散させる事無く、用を足す。尿飛散防止ベルト１は、巾が数センチの帯状のベルトで、便座と大腿部に挟まれた時、柔軟に容が変化するくらいが良い。尿飛散ベルト１の下側中央部分に若干の厚みを持たせる事で、人によってペニスのある位置や角度に違いがあっても尿の飛散を防止する。尿飛散防止ベルト１の裏側の厚みを設けた部分から直角に巾数センチのベルトを伸ばし、便座２と交差する部分に吸盤、又は、それに順ずる吸着力、又は粘着力を設ける。【選択図】図２
2016073587.tif 000002
【特許請求の範囲】
【請求項１】
本発明の尿飛散防止ベルトは、巾数センチの帯状のベルトで、そのベルトの裏側の中央部分に多少の厚みを設けたもので、男が洋式トイレで用を足す時、便座と大腿部の間に、この尿飛散防止ベルトを挟み、指でペニスをベルトの下側に移動して用を足すことで、尿の飛散を防止出来る、尿飛散防止ベルトである、
【請求項２】
なお、用を足し終えた後、立ち上がる時、うっかり手で持つ事を忘れて尿飛散防止ベルトを便器の中に落下させる事の多い時は、尿飛散ベルトの下側中央部分から直角に、巾数センチのベルトを伸ばし、便座と交差する部分に吸盤、又は、それに順ずる吸着力、又は粘着力を設ける事で落下を防止出来る、以上を特徴とする、尿飛散防止ベルトである。
【発明の詳細な説明】
【技術分野】
【０００１】  本発明は、一般的な洋式トイレにおいて、男性が座って用を足す時、ペニスに指を当て尿が飛散しないようにするが、時には油断が生じ無意識に排尿をして、その尿が便器本体と便座の間を通り抜け、下着や衣類さらには床などを汚してしまう事がある。
それらを防ぐ為に考案された、尿飛散防止ベルトに関するものである。
【背景技術】
【０００２】  従来の方法としては、便器や便座に取り付けられた、板状の物によって便器と便座の間の隙間から尿が飛散することを防ぐ事が一般的である。
便器本体に吸盤によって長方形の板状の物を取り付ける事で尿の飛散を防止する物があった。（特許文献１参照）、
【先行技術文献】
【特許文献】
【０００３】
【特許文献１】  登録実用新案第３１６００５５号  吸盤固定式尿遮断具
【発明の概要】
【発明が解決しようとする課題】
【０００４】  そのために次のような問題点があった。
従来、男性が便座に座って用を足す時の、尿の飛散防止の方法では、便座や便器に板状の器具をそれぞれの方法によって取り付けて置かなければならないため、尿が直接取り付けた尿飛散防止具に当たる事や、大便も付着して汚れることも考えられる事から、余り衛生的とは思えない。
本発明はこれらの問題点を解決する為になされたものである。
【課題を解決する為の手段】
【０００５】  上記の問題点を解決するために、本発明の尿ひさんベルトは、巾数センチの帯状のベルトで、そのベルトの裏側の中央部分に多少の厚みを設けたもので、男性が洋式トイレで用を足す時、便座と大腿部の間に、この尿飛散防止ベルトを挟み、指でペニスをベルトの下側に移動して用を足すことで、尿の飛散を防止出来る、尿飛散防止ベルトである。
なお、用を足し終えて立ち上がる時、うっかり手で持つ事を忘れて、尿飛散防止ベルトを便器の中に落下させる様な事の多いときは、ベルトの下側中央部分から直角に、巾数センチのベルトを伸ばし、吸盤を設ける事で落下を防止出来る、尿飛散防止ベルトが出来る。
以上を特徴とする、尿飛散防止ベルトである。
【発明の効果】
【０００６】  本発明の尿飛散防止ベルトは、便器や便座には、尿飛散防止の為の板状の器具を取り付けていない為、毎日の掃除や美観も損なわれることもなく、本来の形のまま使用出来る。
又、直接尿や大便が尿飛散防止ベルトに飛び散って付着する事もなく、万一汚れたときは、丸洗いやトイレ用の消毒紙などによって、拭き取る事ができるので、衛生的に保つ事ができる。
【図面の簡単な説明】
【０００７】
【図１】  本発明の立体図
【図２】  便座に置かれた位置図
【図３】  使用時の配置図
【図４】  吸盤を用いて置かれた立体図
【発明を実地する為の形態】
【０００８】  尿飛散防止ベルト（１）は、巾が数センチの帯状のベルトで、材質はあまり硬質な物でなく、便座（２）と大腿部に挟まれた時、柔軟に容が変化する位が良く、尿飛散防止ベルト（１）の下側中央部分（３）に若干の厚みを設けることで、人によってペニス（３）のある位置や角度の違い、又、体の大きさやペニス（３）の勃起の状態の違いによって生じる尿のでる角度や勢いに違いがあっても尿の飛散を防止出来る。
本発明を使用する時は、これまでの尿飛散防止具とは異なり、便器（４）や便座（２）には尿飛散防止の為の器具は一切取り付ける事も無く、男性が洋式トイレに座って用を足すときに、座った状態で便座（２）と自分の大腿部の間に尿飛散防止ベルト（１）を差し込み、ペニス（３）を指で尿飛散防止ベルトの下側（５）に移動して用を足事で、尿を飛散させる心配をしないで安心して用を足すことのできる尿飛散防止ベルト（１）である。
なお、用を足し終えた後、立ち上がる時は尿飛散ベルト（１）を手に持って立ち上がるが、時には忘れる事もある、そのような事の多いときは、落下防止の為の吸盤（６）を設けるために、尿飛散防止ベルト（１）の下側中央部分（５）の、若干の厚みを設けた部分（７）から、巾数センチのベルトを直角に設け、便座と交差する部分（９）に吸盤（６）又はそれに順ずる吸着力、又は粘着力を設ける事で、落下を防止する事ができる。
以上を特徴とする尿飛散防止ベルト（１）である。
【符号の説明】
【０００９】    １  尿飛散防止ベルト
２  便座
３  ペニス
４  便器
５  尿飛散ベルトの下側
６  吸盤
７  若干の厚みを設けた部分
８  直角に設けたベルト
９  便座と交差する部分に吸盤を設ける
【図１】
2016073587.tif 000003
【図２】
2016073587.tif 000004
【図３】
2016073587.tif 000005
【図４】
2016073587.tif 000006
(57)【要約】【課題】一般的なハサミで物を切ると落ちてしまい、後で必ず拾う必要があり大きく切った物は手で拾い易いが、小さく切った物は手で拾いにくく、ピンセットを持ってきて挟んで拾わなくてはならず、たいへん不便であるという問題があった。本発明は、切った物をそのハサミで挟んで保持できる挟めるハサミを提供する。【解決手段】ハサミの上部刃体の先端に上部挟み部を、下部刃体の先端に下部挟み部を設け、上部挟み部と下部挟み部とで、物を挟んで保持できるようにしたことを特徴とする挟めるハサミ。【選択図】図１
2016073596.tif 000002
【特許請求の範囲】
【請求項１】
ハサミの上部刃体の先端に上部挟み部を、下部刃体の先端に下部挟み部を設け、上部挟み部と下部挟み部とで、物を挟んで保持できるようにしたことを特徴とする挟めるハサミ。
【請求項２】
上部刃体および、下部刃体の先端に連結部を介して、上部挟み部および、下部挟み部を設けたことを特徴とする請求項１記載の挟めるハサミ。
【請求項３】
上部挟み部および、下部挟み部が略長方板状であることを特徴とする請求項１又は請求項２記載の挟めるハサミ。
【発明の詳細な説明】
【技術分野】
【０００１】  本発明は、ハサミで物を切ったとき、そのハサミで切ったものをピンセットのように挟むことのできる挟めるハサミに関するものである。
【背景技術】
【０００２】  従来、ハサミは物を切るための切りバサミが一般的であるが、物を挟むための挟みバサミや、切ったものを落とさないように挟みながら切るハサミや、切るものを固定して切るハサミがあった。
【先行技術文献】
【特許文献】
【０００３】
【特許文献１】特許公開２００２−１５９５０４号
【発明の概要】
【発明が解決しようとする課題】
【０００４】  特許公開２００２−１５９５０４号は、医療用ハサミで刃部に突起を設けて切る物を挟んで固定して切るようにしたもので、切った物をそのハサミで挟んで取るものではない。従来の一般的なハサミで物を切ると落ちてしまい、後で拾うときに大きく切った物は手で拾い易いが、小さく切った物は手で拾いにくく、ピンセットを持ってきて挟んで拾わなくてはならず、たいへん不便であるという問題があった。
本発明は、この問題点を解決するためになされたものである。
【課題を解決するための手段】
【０００５】  ハサミの上部刃体の先端に連結部を介して任意形状の上部挟み部を、下部刃体の先端に連結部を介して任意形状の下部挟み部を設け、上部挟み部と下部挟み部とで、物を挟んで保持できるようにしたことを特徴とする挟めるハサミである。【０００６】  こうすることで、切ったものをそのハサミの先端で即挟むことができる。
ハサミは、手の指を入れる環状の指掛け部と、切断用の刃部を有する刃体から成る一対のハサミ構成部材を設け、一対のハサミ構成部材を相互に回転可能に支持する支軸と、からなるものである。
【発明の効果】
【０００７】  切断された物を即そのハサミの先端で挟んで保持することができる。特に小さい物を拾うときにはピンセットは不要である。また、ハサミをピンセット代わりに利用することもできる。そして、従来のハサミと同じように刃体全体が違和感なく使用できる。
【図面の簡単な説明】
【０００８】
【図１】本発明の第１実施例を示す斜視図である。
【図２】本発明の第２実施例を示す斜視図である。
【発明を実施するための形態】
【０００９】  以下、本発明の実施例を図面に基づいて説明する。
図１の本発明の第１実施例を示す斜視図で、これについて説明すると、ハサミ１の上部刃体２の背側の先端に連結部３を介して略長方板状の上部挟み部４を、下部刃体５の背側の先端に連結部６を介して略長方板状の下部挟み部７を設け、上部挟み部４と下部挟み部７とで、物を挟んで保持できるようにしたことを特徴とする挟めるハサミである。
【００１０】  図２の本発明の第２実施例を示す斜視図で、これについて説明すると、ハサミ１の上部刃体２の背側の先端に連結部３を介して略円形板状の上部挟み部４を、下部刃体５の背側の先端に連結部６を介して略円形板状の下部挟み部７を設け、上部挟み部４と下部挟み部７とで、物を挟んで保持できるようにしたことを特徴とする挟めるハサミである。
【００１１】  上部挟み部４を上部刃体２の先端の延長線上に、下部挟み部７を下部刃体５の先端の延長線上に、付けたのでは、ハサミの上部刃体２と下部刃体５がお互いにずれて接するように可動しているため物を安定して挟めない。
そのため、連結部３，６を介することで、上部挟み部４と下部挟み部７の位置が調整しやすくなり、上部挟み部４と下部挟み部７同士が重なるように調整することで、物を安定して挟めるようになる。
上部挟み部４と下部挟み部７の取付位置は、上部刃体２と下部刃体５の先端で、刃側（刃の付いている側）、または背側（刃の付いていない側）、または刃側と背側の間に、用途や使いやすさなどを考慮して取り付ける。
先端刃の使いにくさを解消するため、先端刃と上部挟み部４および、下部挟み部７との間に連結部３，６により間隔を設けることで、先端刃が使いやすくなる。
上部挟み部４と下部挟み部７は、物を挟んで保持するものであるが、物を挟んで保持できればどんな形状でも良い。ただ、細長い長方板状は使いやすいが、先がとがった状態になるので使用上配慮が必要である。そのため、上部挟み部４と下部挟み部７の先を円形、楕円形や略円形などにして、とがった部分を無くすることで安全性が確保できる。
上部刃体２と下部刃体５の先端刃で物を切った状態で、上部挟み部４と下部挟み部７同士が密着するのが良いが、どうしても刃の動きによっては密着しない場合があり、これを確実に密着させるために、連結部３，６に柔軟性を持たせることで完全に密着するようになる。
上部刃体２と下部刃体５は、金属性や合成樹脂などで物を切る性能が発揮できれば良い。
【００１２】  本発明の挟めるハサミを使用するときは、従来のハサミと同じように使用して物を切り、そのハサミの先端に付いている上部挟み部４と下部挟み部７とで物を挟んで保持し、処理する。
【符号の説明】
【００１３】  １  ハサミ
２  上部刃体
３  連結部
４  上部挟み部
５  下部刃体
６  連結部
７  下部挟み部
【図１】
2016073596.tif 000003
【図２】
2016073596.tif 000004
(57)【要約】【課題】  健康に良いと言われる、貧乏ゆすりを機械的に継続して行なえる足踏み器具を提供する。【解決手段】  たっぷり厚みのある円盤の一部を、すいか状に切り離したような形状で円弧台を形成し、手を放して床に置いた状態において円弧の頂点部が床に接地し、頂点部を通る垂直線に直交する平面を足置き部として形成し、この足置き部には、両端にほぼ垂直に短く立ち上がる足止め部を設けてもよく、又、円弧台は縦面を円弧縁沿いのみを残して、他を切除して弓形に形成し、その両端にスポット足置き部を設ける形で形成しても良いことを特徴とする足踏み器具。【選択図】図１
2016073597.tif 000002
【特許請求の範囲】
【請求項１】
たっぷり厚みのある円盤の一部を、すいか状に切り離したような形状で円弧台を形成し、手を放して床に置いた状態において円弧の頂点部が床に接地し、頂点部を通る垂直線に直交する平面を足置き部として形成し、この足置き部には、両端にほぼ垂直に短く立ち上がる足止め部を設けてもよく、又、円弧台は縦面を円弧縁沿いのみを残して、他を切除して弓形に形成し、その両端にスポット足置き部を設ける形で形成しても良いことを特徴とする足踏み器具。
【発明の詳細な説明】
【技術分野】
【０００１】  本発明は身体に良いと言われる貧乏ゆすりを機械的に持続して行える、足踏み器具に関するものである。
【背景技術】
【０００２】  従来、貧乏ゆすりとはイス等に腰掛けて、足を小刻みに上下させて動かすことで、落ち着きが無く行儀が悪いと思われていた。
しかし、実際は血の流れを良くし、ストレスを軽減して健康的であり、エコノミー症候群を予防すると言われている。
【発明の概要】
【発明が解決しようとする課題】
【０００３】  貧乏ゆすりを無意識にしてしまい、落ち着きがない人と思われる人がいる反面、健康的なのにどうしてもその動作がうまく出来ない人がいる。
本発明は以上の問題点を解決するためになされたものである。
【課題を解決するための手段】
【０００４】  たっぷり厚みのある円盤の一部を、すいか状に切り離したような形状で円弧台を形成し、手を放して床に置いた状態において円弧の頂点部が床に接地し、頂点部を通る垂直線に直交する平面を足置き部として形成する。この足置き部には、両端にほぼ垂直に短く立ち上がる足止め部を設けてもよく、又、円弧台は縦面を円弧縁沿いのみを残して、他を切除して弓形に形成し、その両端にスポット足置き部を設ける形で形成しても良い。
以上を特徴とする足踏み器具である。
【発明の効果】
【０００５】  本発明はデスク等の下に置いても邪魔にならず、いつでもすぐに始められ、仕事の合間に行えば気分転換になりストレスも解消し、機械的に持続して行える。又、健康的で傍目に悪くない。
【図面の簡単な説明】
【０００６】
【図１】  本発明の斜視図
【図２】  本発明において足置き部の両端に足止め部を設けた実施例を示す斜視図
【図３】  本発明の別の実施例である弓形の斜視図
【図４】  本発明を使用している状態を示すイメージ図
【発明を実施するための形態】
【０００７】    たっぷり厚みのある円盤の一部を、すいか状に切り離したような形状で円弧台（１）を形成し、手を放して床（３）に置いた状態において円弧の頂点部が床（３）に接地し、頂点部を通る垂直線に直交する平面を足置き部（２）として形成する。この足置き部（２）には、両端にほぼ垂直に短く立ち上がる足止め部（４）を設けてもよく、又、円弧台（１）は縦面を円弧縁沿いのみを残して、他を切除して弓形（５）に形成し、その両端にスポット足置き部（６）を設ける形で形成しても良い。以上を特徴とする足踏み器具である。
本発明は以上のような構成である。
本発明を使用する時は、イスなどに腰掛け、足置き部（２）に両足をのせて水平を保つ。次に、のせている右足（７）を踏むと足置き部（２）の左側が上がり、のせている左足（８）が上がる。次に、左足（８）を踏むと足置き部（２）の右側がシーソーのように動いて上になり、のせている右足（７）も上がる。
このようにしてこの動作を繰返し行なうことが出来る。なお、のせている左右の足の間隔によって上下動の調整ができるので、左右の足を目一杯開いて行えば上下動が大きくなり力強い運動になり、両足をつけて足置き部（２）の中央で行えばスピーディで小刻みな足の運動になる。又、足置き部（２）の両端に設けた足止め部（４）は足を固定し踏み外す心配がないので、よりハードな運動ができる。
【符号の説明】
【０００８】１  円弧台、２  足置き部、３  床、４  足止め部
５  弓形、６  スポット足置き部、７  右足、８  左足
【図１】
2016073597.tif 000003
【図２】
2016073597.tif 000004
【図３】
2016073597.tif 000005
【図４】
2016073597.tif 000006
(57)【要約】【課題】  徘徊して行方不明なった場合にマイクロチップ付きの靴や帽子を使用していたとしても靴や帽子を脱いで忘れたり無くしたりするため、折角取り付けたマイクロチップも役立たず無意味な場合がある。【解決手段】本発明は指輪の特性である肌身離さず指に付ける指輪を利用してマイクロチップを指輪に埋め込み個々の個人情報（住所、氏名、生年月日、性別、自宅電話番号，血液型、指紋など）をマイクロチップに挿入して身元不明者を発見した場合にそのデータを専用のリーダを使い素早く正確に読み取り身元確認する方法である。※ただし、マイクロチップには１５桁の当人の登録番号が必ず必要である。【選択図】図１
2016073592.tif 000002
【特許請求の範囲】
【請求項１】
指輪にマイクロチップを埋め込み個々の個人情報（住所、氏名、性別、生年月日、自宅電話番号、血液型、緊急連絡先、指紋など）を挿入して身元不明者を発見した場合にそのデータを専用のリーダーで素早く正確に読み取り身元を確認する方法であり、指輪の特性である肌身離さず指に付ける指輪を利用したマイクロチップ付き指輪
【発明の詳細な説明】
【技術分野】
【０００１】  本発明は身元不明者の身元を判明するためのマイクロチップ付き指輪に関するものである。
【背景技術】
【０００２】  マイクロチップを利用した商品が出回り始め認知症の方の靴（例えば非特許文献参照）や帽子（例えば非特許文献１参照）などに使用されるようになり、介護用品のひとつになりつつある。【０００３】  しかし、現状では認知症の方が徘徊して行方不明になった場合にこの靴や帽子を脱いで忘れたり無くしたりするため、折角取り付けたマイクロチップも役立たず無意味なものになることがある。
【先行技術文献】
【特許文献】
【０００４】
【特許文献１】
【非特許文献】
【非特許文献】  ｐｕｍａ１８７０６５  ０６
【０００５】
【非特許文献１】  ｐｍｊ−８４２９３４−２４
【発明の概要】
【発明が解決しようとする課題】
【０００６】  徘徊して行方不明になった場合にマイクロチップ付きの靴や帽子を使用していたとしても靴や帽子を脱いで忘れたり無くしたりするため、折角取り付けたマイクロチップも役立たず無意味な場合がある。
【課題を解決するための手段】
【０００７】  本発明は指輪の特性である肌身離さず指に付ける指輪を利用してマイクロチップを指輪に埋め込み個々の個人情報（住所、氏名、性別、生年月日、自宅電話番号、血液型、緊急連絡先、指紋など）をマイクロチップに挿入して身元不明者を発見した場合にそのデータを専用のリーダーを使い素早く正確に読み取り身元確認する方法である。
【発明の効果】
【０００８】  マイクロチップ付きの指輪の利点はマイクロチップ付きの靴や帽子と異なり常に肌身離さず指に嵌めているので、いつでもどこでもデータにより素早く確実に身元確認ができ今後、認知症や災害等による行方不明者の救済などに大きな効果を上げることができると思う。
【図面の簡単な説明】
【０００９】
【図１】この発明のー実施形態を示す斜視図である。
【図２】従来技術を示す斜視図である。
【図３】詳細図
【発明を実施するための形態】
【００１０】  指輪にマイクロチップを埋め込む方法で指輪とマイクロチップが一体となり剥離することもなくデータは長く保存できる。
【産業上の利用可能性】
【００１１】認知症は現在８００万人いると言われている大きな高齢化社会の福祉関連の産業でありマイクロチップ付き指輪は相当の需要が見込まれる
【符号の説明】
【００１２】  １  申請用の指輪
２  従来の指輪
３  マイクロチップ（超小型マイクロチップ直径１，４１×８，２ｍｍ）を接着剤で指輪に固定する。
【受託番号】
【００１３】
【図１】
2016073592.tif 000003
【図２】
2016073592.tif 000004
【図３】
2016073592.tif 000005
(57)【要約】【課題】本発明は、洗濯物をハンガーに掛け竿に吊るし乾かす時に風で片寄るのをなくすことを目的し課題とする。【解決手段】らせん状にパイプを曲げ加工しらせんパイプの両端を垂直に折り曲げ（１０）先端にジョイントパイプ（１１）を差込み上部に竿に吊るフック棒（１２）を差込みらせんの円の中に円筒（１３）を差込み両端にらせんパイプの外止めの凸（１４）と凹（１５）のあるキャップを取付けらせんハンガー掛が連結できるようにし自由な間隔でハンガーに掛けた洗濯物を干すことができ風の片寄りがなく風の向きにより洗濯物が左右に揺れ乾きやすく取り込みやすいらせんハンガー掛である。【選択図】図１
2016073610.tif 000002
【特許請求の範囲】
【請求項１】
らせん状にパイプを曲げ加工しらせんパイプの両端を垂直に折り曲げ（１０）先端にジョイントパイプ（１１）を差込み上部に竿に吊るフック棒（１２）を差差込みらせんの円の中に円筒（１３）を差込み両端にらせんパイプの外止めのキャップを取付ける。
以上を特徴とするらせんハンガー掛である。
【請求項２】
請求項１のらせんパイプの外止めのキャップに凸（１４）を凹（１５）に差込み連結できるようにする。
【発明の詳細な説明】
【技術分野】
【０００１】本発明は、洗濯物をハンガーに掛け竿に吊るし乾かすときに風で片寄るのをなくすことを目的とした用品に関するものである。
【背景技術】
【０００２】従来、洗濯物をハンガーに掛け竿に吊るし乾かしていた。
【先行技術文献】
【０００３】
【特許の概要】
【特許が解決しようとする課題】
【０００４】そのため、次のような問題点があった。
（イ）竿に吊ったハンガーに掛けた洗濯物が風で片寄り洗濯物がかさなり乾きにくかった。
（ロ）上記の乾いた洗濯物がかさばり取込みにくかった。
本発明は、これらの問題点を解決するためになされたものである。
【特許を解決するための手段】
【０００５】らせん状にパイプを曲げ加工しらせんパイプの両端を垂直に折り曲げ（１０）先端にジョイントパイプ（１１）を差込み上部に竿に吊るフック棒（１２）を差差込みらせんの円の中に円筒（１３）を差込み両端にらせんパイプの外止めの凸（１４）と凹（１５）のあるキャップを取付けらせんハンガー掛を連結できるようにする。
以上を特徴とするらせんハンガー掛である。
【特許の効果】
【０００６】竿に吊ったハンガーに掛けた洗濯物が風で片寄ることがなく風の向きにより洗濯物が左右に揺れて均等に乾き凹に凸を差込み連結ができ掛ける間隔が自由にでき乾いた洗濯物が取り込みやすくなる。
【図面の簡単な説明】
【０００７】
【図１】  本発明の凸部面の斜視図
【図２】  本発明の凹部面の斜視図
【図３】  本発明の円筒の両端に差込む凹凸のパイプ図
【図４】  本発明のらせんパイプとジョイントと竿に吊るフック棒図
【発明を実施するための形態】
【０００８】以下、本発明の実施の形態について説明する。
らせん状にパイプを曲げ加工しらせんパイプの両端を垂直に折り曲げ（１０）先端にジョイントパイプ（１１）を差込み上部に竿に吊るフック棒（１２）を差込みらせんの円の中に円筒（１３）を差込み両端にらせんパイプの外止めの凸（１４）と凹（１５）のあるキャップを取付けらせんハンガー掛が連結できるようにする。
本発明は以上のような構成である。
これを使用するときは竿にらせんハンガー掛を吊るしハンガーを自由な間隔で掛て洗濯物を干すことができ取込みやすいらせんハンガー掛である。
【符号の説明】
【０００９】１０  らせんパイプ
１１  ジョイント
１２  竿に吊るフック棒
１３  円筒
１４  凸部パイプ
１５  凹部パイプ
【図１】
2016073610.tif 000003
【図２】
2016073610.tif 000004
【図３】
2016073610.tif 000005
【図４】
2016073610.tif 000006
(57)【要約】      （修正有）【課題】従来、別々に置かれていた食器洗剤容器とスポンジ置きを一体化し、使い勝手を良くした台所用品を提供する。【解決手段】本体後部に吸盤６を設け、壁などに簡単に取り付けて使用する。本体上部に食器洗剤容器１を設け、下部にスポンジ置き２を設け、スポンジを載置する。本体天板には洗剤注入口５を、食器洗剤容器１の下部には注出ノズルを設け、スポンジを注出ノズルに当てて上に押すだけでスポンジ上に洗剤が落ちてきて簡単に使用できる。また本体側面には残量窓を設けて洗剤の残量が確認できるようにする。【選択図】図１
2016073601.tif 000002
【特許請求の範囲】
【請求項１】
本体上部に食器洗剤容器（１）を設け、下部にスポンジ置き（２）を設けて一体化させた台所用品。
【発明の詳細な説明】
【技術分野】
【０００１】本発明は、食器洗剤容器とスポンジ置きが別々に置かれていたものを、本体上部に食器洗剤、そして下部にスポンジ置きを設けて一体化させ食器洗いをスムーズにさせるものである。
【背景技術】
【０００２】従来、食器洗いは、左右それぞれの手に洗剤容器とスポンジを持ち、洗剤を付けて洗っていた。
【発明の概要】
【発明が解決しようとする課題】
【０００３】従来、食器洗いをする時には、片手に容器を持ちキャップを開け、もう一方の手でスポンジを持って洗剤を付けていた。
本発明は、以上の問題点を解決するものである。
【課題を解決するための手段】
【０００４】本体上部に洗剤容器を設け、下部にスポンジ置きを設けて、スポンジを上に押し上げるだけで使用出来る。
以上の構成よりなる台所用品。
【発明の効果】
【０００５】（イ）洗剤容器とスポンジ置きを一体化させることでシンク周りがスッキリできる。
（ロ）容器を手に持ち、キャップを開けることもなくスポンジを上に押すだけで食器洗いが出来る。
（ハ）詰替えタイプの購入なので経済的である。
【図面の簡単な説明】
【０００６】
【図１】本発明の斜視図
【図２】本発明の斜視図
【図３】本発明の使用状態を示した斜視図
【発明を実施するための形態】
【０００７】以下、本発明の実施の形態を説明する。
本体上部に食器洗剤容器（１）を設け、下部にスポンジ置き（２）を設ける。
中間部に洗剤の注出ノズル（３）を設ける。
本体側面に残量窓（４）を設ける。
本体天板には洗剤注入口（５）を設ける。
本体後部には取付けのための吸盤（６）を設ける。
本発明を使用する時は、洗剤を注入口より入れる。スポンジを注出ノズル（３）を押すことにより洗剤が出る。洗剤の残量は、残量窓（４）で確認できる。
また、スポンジのサイズにより置き台の幅が調節できる。
【符号の説明】
【０００８】１  食器洗剤容器
２  スポンジ置き
３  注出ノズル
４  残量窓
５  洗剤注入口
６  吸盤
【図１】
2016073601.tif 000003
【図２】
2016073601.tif 000004
【図３】
2016073601.tif 000005
(57)【要約】【課題】本発明はペンキのスプレー缶で筆のように綺麗に文字が書け、継ぎ足すことなくペンキが塗れるようにしたものである、スプレーで文字を書いてみると  霧状に広がり  またノズルを付けて書いてみると  ペンキ吐出量のコントロールが効かない、また従来の刷毛はペンキをいれた缶に  刷毛を浸し適量のペンキを含ませ  雫が落ちないよう気を遣いながら  その繰り返しで  ペンキを塗っていった  どうしても  塗りたくない場所に雫は落ちるし手も汚れた。【解決手段】本発明は刷毛の結束部分に上から下に向け中空の穴を設け、そこにスプレー缶の口から伸ばしたノズルを差込  ペンキを一旦刷毛の中に含ませ使用することによって手も汚れず  綺麗に文字が書けたり  刷毛塗りが出来るようになる。【選択図】図４
2016073965.tif 000002
【特許請求の範囲】
【請求項１】
刷毛の結束部分に縦に下部方向に中空の穴を設けた構造の刷毛。
【請求項２】
刷毛の結束部分側面から斜めに下部方向に中空の穴を設けた構造の刷毛
【請求項３】
刷毛の結束部側面にパイプを這わせ結束部下部で束ねた毛の中にパイプを差し込んだ構造の刷毛
【発明の詳細な説明】
【発明の詳細な説明】
【技術分野】
【０００１】  本発明は、ペンキのスプレー缶から導いたペイントを直接刷毛に含ませ、手を汚すこと  なく、連続的にペンキ塗が出来るようにした発明である。
【背景技術】
【０００２】  従来、ペンキのスプレー缶で文字を書いてみると  霧状に広がりペンキが散逸してしまい綺麗に書けない、またパイプ状のノズルを付けて書いてみると  ペンキの吐出量のコントロールが効かない、また従来の刷毛はペンキをいれた缶に  刷毛を浸し適量のペンキを含ませ  雫が落ちないよう気を遣いながら  その繰り返しで  ペンキを塗っていった  どうしても  塗りたくない場所に雫は落ちるし手も汚れた。
【発明が解決しようする課題】
【０００３】  本発明は刷毛をペンキ缶に浸すことなく、連続的にスプレー缶のペイントを刷毛に供給  し、かつペイントを束ねた毛に含ませることによってスプレー缶からのペイントの供給  をコントロール出来るようにした。
【課題を解決するための手段】
【０００４】  この課題を解決するための請求項１の発明は、刷毛の結束部分（２）に縦に穴（４）を  設けた構造で、スプレー缶（６）からつないだパイプ状のノズル（８）をこの穴に差込  み刷毛の毛の束（３）の中にペイントを含ませることが出来るようにした構造である。
【発明の効果】
【０００５】  本発明を利用実施することにより  刷毛をペンキ缶に浸さなくても連続的にペイントの  塗布作業が手を汚さず出来る、またスプレー缶で直接文字を書くような細かい作業も出  来る、作業終了後ノズル（８）に圧縮空気を通すことによりノズルの再利用を可能にし  、刷毛に付いてたペイントを吹き飛ばし刷毛の洗浄が楽になる、また細い柄を摘んで作  業するより  太いスプレー缶を握って作業する方が手が疲れない。
【発明を実施するための最良の形態】
【０００６】  請求項１の発明を利用実施するには  先ず  刷毛の柄（１）をスプレー缶に固定する器  具（７）を用いて刷毛を缶に固定し  スプレー缶の口から伸ばしたパイプ状のノズル（  ８）を刷毛の結束部に設けた穴（４）に差込み、塗布したい面に刷毛をあて  スプレー  缶の墳頭部分（９）を押して、必要な量のペイントを刷毛の毛先に供給し塗布していく  。
【図面の簡単な説明】
【０００７】
【図１】刷毛の結束部分（２）に穴（４）を下方に設けた状態の斜視図（点線は内部）
【図２】刷毛の結束部分（２）の側面から斜め下方に穴（４）を設けた正面図（点線は内部）
【図３】刷毛の結束部分（２）の側面にパイプ（５）を這わせ毛の束（３）の中にパイプの先を入れ構造の側面図（点線は内部）
【図４】使用状況の斜視図
【符号の説明】
【００８】▲１▼    柄
▲２▼    結束部分
▲３▼    束ねた毛
▲４▼    穴
▲５▼    パイプ
▲６▼    スプレー缶
▲７▼    刷毛を固定する器具
▲８▼    パイプ状のノズル
▲９▼    墳頭
【図１】
2016073965.tif 000003
【図２】
2016073965.tif 000004
【図３】
2016073965.tif 000005
【図４】
2016073965.tif 000006
(57)【要約】【課題】  励磁コイルへの通電が連続した場合に励磁コイルの温度上昇により熱可塑性樹脂で成型されたボビンが過熱し熱変形をきたすおそれがあった。【解決手段】  モータへの通電回路を開閉するマグスイッチ２を搭載し、エンジンを始動するスタータ１において、マグスイッチ内部の励磁コイル３を収納するボビン４の材料に紙を使用する。好ましくは、ボビンを構成する部材を１枚の紙の中で一体的に形成し、紙を折りたたむことで励磁コイルの収納部を構成する。【選択図】図２
2016073032.tif 000002
【特許請求の範囲】
【請求項１】
モータへの通電回路を開閉するマグスイッチを搭載し、エンジンを始動するスタータにおいて、
マグスイッチ内部の励磁コイルを収納するボビンの材料に紙を使用したことを特徴とするスタータ。
【請求項２】
請求項１に記載のスタータにおいて、ボビンを構成する部材を１枚の紙の中で一体的に形成し、紙を折りたたむことで励磁コイルの収納部を構成することを特徴とするスタータ。
【発明の詳細な説明】
【技術分野】
【０００１】
本発明は、エンジン始動を行うスタータに関し、特にスタータに組み込まれ通電回路を開閉するマグスイッチの構造に関する。
【背景技術】
【０００２】
スタータに組み込まれるマグスイッチの構造としては、励磁コイルと励磁コイルを収納するボビンと、励磁コイルへの通電によりスタータへの通電回路を開閉する接点を駆動するプランジャと、磁気回路を構成するコイルケースから構成されると共に、励磁コイルを収納するボビンは、熱可塑性樹脂を原料とし略コの字断面形状に成型したものが一般的である。
【先行技術文献】
【特許文献】
【０００３】
【特許文献１】特開２００２−２０４５５３号公報
【発明の概要】
【発明が解決しようとする課題】
【０００４】
しかしながら、公知の構成においては、励磁コイルへの通電が連続した場合に励磁コイルの温度上昇により熱可塑性樹脂で成型されたボビンが過熱し熱変形をきたすと共に、樹脂材から引火性ガスが生成され、スタータ外部に噴出する。その際、スタータの外部で火花が発生するとガスに引火し焼損に至る課題があった。
【０００５】
本発明は、係る課題を解決し、信頼性と組立性に優れたボビン構造を備えたスタータを提供することにある。
【課題を解決するための手段】
【０００６】
前記課題を解決するために、本発明はマグスイッチに使用するボビンの材料を紙素材で構成すると共に、ボビンの円筒部と両端部の部材を１枚の紙の中で一体的に形成したことを特徴とする。
【発明の効果】
【０００７】
上記構成によれば、マグスイッチのボビンを紙材料で構成することにより樹脂材の過熱により生成する引火性ガスの発生が抑制され、スタータの焼損発生を回避することが可能となる。
【０００８】
さらに、紙ボビンの円筒部と両端部の部材を１枚の紙の中で一体的に形成することにより、紙を折りたたむだけで励磁コイルを収納する略コの字断面形状を構成することが可能となり、安価な材料でかつ組立性の優れたスタータを提供することが可能となる。
【図面の簡単な説明】
【０００９】
【図１】本発明の実施例であるスタータの構成を示す断面図である。
【図２】本発明の実施例であるスタータのマグスイッチに組み込まれる紙製ボビンの展開図（１）
【図３】本発明の実施例であるスタータのマグスイッチに組み込まれる紙製ボビンの展開図（２）
【発明を実施するための形態】
【００１０】
以下、図面を用いて本発明の実施例を説明する。
【実施例１】
【００１１】
図１は、本発明に関わるスタ−タ１の構造図である。
【００１２】
スタ−タ１は、バッテリからの配線を励磁スイッチに接続され、励磁コイルに通電されると、電磁スイッチがＯＮすることで、バッテリからモ−タへメイン電流が通電され、モータが回転力を発生させる周知のモ−タである。
【００１３】
マグスイッチ２内に組み込まれている励磁コイル３は、ボビン４に巻き付けられて固定されており、従来のボビン４は、樹脂製で一体成形されていた。
【００１４】
樹脂製のボビン４は、連続通電により熱的影響による引火ガスが発生するため、引火ガスを発生させない紙材料でのボビン４構造を、図２、図３を用いて説明する。
【００１５】
図２は励磁コイル３の軸方向固定用サイドボビン４ａｂを両端側に設けており、当該サイドボビン４ａｂを紙材料としている。
【００１６】
ガイド５と励磁コイルの絶縁として、絶縁紙６を設けている。
【００１７】
サイドボビン４ａｂと絶縁紙６は、組立性簡略化のため、一体構造としている。
【００１８】
サイドボビン４ａｂと絶縁紙６は一体構造であるため、板厚は同一となる。
【００１９】
但し、サイドボビン４ａｂは励磁コイル３を軸方向の固定用として使用するため、強度上板厚の確保が必要である。
【００２０】
本問題を解決するため、サイドボビン４ａｂを１枚の連続した形状とし、それぞれのサイドボビン４ａｂを交互に折りたたむことで板厚を確保することが可能となる。
【００２１】
サイドボビン４ａｂの連続した形状は、絶縁紙６の両端に一直線上に形成され、矢印方向に交互に折りたたむ方式と、２列並びで矢印方向のように一周させながら交互に折りたたむ方式がある。
【００２２】
本実施例では、板厚０．５ｍｍ品を６枚重ねることで、板厚３．０ｍｍ確保できる。
【００２３】
重ね合わせたサイドボビン４ａｂを、サイドボビン切り口４ｃを曲げながら、ガイド５に通して、両端部の定位置にセットする。
【００２４】
サイドボビン切り口４ｃは、サイドボビン４ａｂの軸方向及び、円周方向の仮固定用として設定している。
【００２５】
両端部にセットしたサイドボビン４ａｂの間にガイド５を全周巻きするように絶縁紙６を巻き付け、テープ７で、絶縁紙６を仮固定する。
【００２６】
組み付けられた、ボビン４に励磁コイルを巻き付けることにより、サイドボビン切り口４ｃ及び、絶縁紙６は完全固定される。
【００２７】
図３は、同様にボビン４を紙材料とし、ザイドボビン４ａ、４ｂ、絶縁紙６をそれぞれ別体構造とした実施例である。
【００２８】
サイドボビン４ａ、４ｂを絶縁紙６と別体とすることにより、サイドボビンと絶縁紙の
板厚を最初から分けて製作することが可能となる。
【００２９】
以上説明した如く、本発明によれば、マグスイッチのボビンを紙材料で構成することにより樹脂材の過熱により生成する引火性ガスの発生が抑制され、スタータの焼損発生を回避することが可能となる。
【００３０】
さらに、紙ボビンの円筒部と両端部の部材を１枚の紙の中で一体的に形成することにより、紙を折りたたむだけで励磁コイルを収納する略コの字断面形状を構成することが可能となり、安価な材料でかつ組立性の優れたスタータを提供することが可能となる。
【符号の説明】
【００３１】
１：スタ−タ
２：マグスイッチ
３：励磁コイル
４：ボビン
４ａ：サイドボビン
４ｂ：サイドボビン
４ａｂ：サイドボビン
４ｃ：サイドボビン切り口
５：ガイド
６：絶縁紙
７：テ−プ
【図１】
2016073032.tif 000003
【図２】
2016073032.tif 000004
【図３】
2016073032.tif 000005
(57)【要約】【課題】本来の音色に「さわり」をつけることができる横笛を提供する。【解決手段】歌口１と管頭２の間にある管頭内空間３に、共鳴板５と振り子６からなる波動増幅器を配設する。すべての音域において、横笛本来の音色に「さわり」をつけることができる。【選択図】  図１
2016105208.tif 000002
【特許請求の範囲】
【請求項１】
歌口と管頭の間にある管頭内空間に、共鳴板と振り子からなる波動増幅器を配設したことを特徴とする横笛。
【請求項２】
前記横笛の材料は竹、プラスチック、木、金属、ガラス又は陶器である、請求項１に記載の横笛。
【発明の詳細な説明】
【技術分野】
【０００１】
本発明は、本来の音色に「さわり」がつく横笛に関する。
【背景技術】
【０００２】
従来の横笛は、歌口と手穴だけで作られており（例えば、特許文献１参照）、管内気柱の波動を増幅させる機能がない。
【０００３】
図２に示す従来の横笛を例にして、そのつくりを説明する。図２において、１は息を入れる歌口のための穴であり、２は管頭である。歌口と管頭との間は、横笛のバランスをとるために設けられており、そこにできる管頭内空間３には木片、和紙、粘土、石膏、蜜蝋等が詰められている。
【先行技術文献】
【特許文献】
【０００４】
【特許文献１】特開２００６−１１９５１１号公報
【発明の概要】
【発明が解決しようとする課題】
【０００５】
従来の横笛のつくりでは、管内気柱の波動を増幅させる機能がないために、横笛本来の音色に「さわり」がつかないという欠点がある。
【０００６】
本発明は、従来の横笛が有している課題を解決するものであり、すべての音域において本来の音色に「さわり」がつく横笛を提供することを目的とする。
【課題を解決するための手段】
【０００７】
本発明は、歌口１と管頭２の間にある管頭内空間３に、共鳴板５と振り子６からなる波動増幅器を配設したことを特徴とする横笛であり、かかる横笛を提供することにより上記目的を達成し得る。
【０００８】
本明細書において波動増幅器とは、共鳴板５と振り子６を具備した管頭内空間３である。共鳴板とは、薄い板状のものであり、振り子は、極細い棒の先に重りをつけたものであり、その根元は共鳴板に固定されている。
【０００９】
本発明における作用は、共鳴板を歌口と管頭との間に配設し、振り子をその共鳴板に固定することによって、歌口から吹き入れた息の僅かな振動が共鳴板を刺激して振り子に伝わり、振り子によって増幅された波動が管全体を大きく振動させることにより、管内気柱の空気振動を強めて、横笛本来の音色に「さわり」をつけることが可能になる。
【発明の効果】
【００１０】
本発明の横笛によれば、すべての音域において、「さわり」のついた音色を発することができる。
【図面の簡単な説明】
【００１１】
【図１】本発明の一実施形態である篠笛（七孔）について波動増幅器を模式的に示す図である。
【図２】従来の篠笛（七孔）を示す図である。
【図３】本発明の一実施形態である篠笛（七孔）について波動増幅器を模式的に示す図である。
【図４】振り子を固定した共鳴板の斜視図である。
【図５】振り子を固定した共鳴板の側面図である。
【図６】振り子を固定した共鳴板の平面図である。
【発明を実施するための形態】
【００１２】
以下、本発明の一実施形態を図面に基づいて説明する。図１及び図３は、それぞれ本発明の実施の一形態を示す。これらの横笛は篠笛（七孔）であって、管頭内空間に、それぞれ共鳴板１枚と振り子１個を有する波動増幅器を配設している。
【００１３】
共鳴板５は、図１のように、歌口と管頭との間で、歌口近くに配設することもできるし、図３のように、管頭に配設することもできる。振り子６は、その根元を共鳴板の中央部分に固定するのが好ましい。図４〜図６に、振り子を共鳴板に固定した代表的な例を示す。
【００１４】
本発明の横笛の材料としては、竹、プラスチック、木、金属、ガラス、陶器など笛材質として使用できるものであれば特に限定されない。共鳴板の材料は、木に限らず、竹、プラスチック、金属、ガラス、ゴムなどであってもよい。振り子の材料は、竹に限らず、木、プラスチック、金属、ガラス、ゴム、陶器などであってもよい。
【００１５】
本発明の横笛として、図１及び図３で篠笛（七孔）を示しているが、これらの篠笛（七孔）のように、管頭内空間に共鳴板と振り子からなる波動増幅器が配設された横笛であれば、本発明の横笛に含まれる。
【００１６】
本発明においては、共鳴板と振り子からなる波動増幅器を配設することにより、横笛全体が振動して、横笛本来の音色に「さわり」をつけることが可能になり、豊かで味わい深い音色で、楽曲を演奏することができる。
【産業上の利用可能性】
【００１７】
本発明の横笛は、和音楽から洋音楽まで、すべての楽曲で対応することができる。
【符号の説明】
【００１８】
１    歌口
２    管頭
３    管頭内空間
４    管内気柱
５    共鳴板
６    振り子
【図１】
2016105208.tif 000003
【図２】
2016105208.tif 000004
【図３】
2016105208.tif 000005
【図４】
2016105208.tif 000006
【図５】
2016105208.tif 000007
【図６】
2016105208.tif 000008